(57)【要約】【課題】隣接チャンネル妨害を検出可能な復調装置を提供する。【解決手段】第２の信号レベル検出器２０２は、入力信号レベルが所望の信号レベルより小さくなると出力が大きくなる特性を有する。隣接チャンネル妨害が存在する状態では、第３のフィルタ１１５の入力信号には通過帯域外の周波数成分が存在する。この通過帯域外の周波数成分は第３のフィルタ１１５で遮断されるため、第３のフィルタ１１５の出力の信号レベルは入力信号に比べ低くなる。従って、第２の信号検出器２０２の出力は、大きくなり、隣接チャンネル妨害が存在することが分かる。【選択図】  図１
2004221831.tif 000002
【特許請求の範囲】
【請求項１】
ＲＦ信号の利得を調整する第１の利得制御手段と、
前記ＲＦ信号をＩＦ信号に変換する周波数変換手段と、
前記ＩＦ信号を帯域制限する第１のフィルタ手段と、
前記ＩＦ信号の利得を調整する第２の利得制御手段と、
前記ＩＦ信号をデジタルＩＦ信号に変換するアナログ−デジタル変換手段と、
前記デジタルＩＦ信号からキャリア成分を除去する直交復調手段と、
前記直交復調手段の出力を帯域制限する第２のフィルタ手段と、
前記第２のフィルタ手段の出力からデジタル信号データを出力する復調手段と、
前記第２のフィルタ手段の出力または前記復調手段の出力の信号レベルを検出するレベル検出手段と、を具備したことを特徴とする復調装置。
【請求項２】
前記第２のフィルタ手段の出力レベルを可変する係数器を具備し、前記係数器の利得を前記レベル検出手段の出力で制御することを特徴とする請求項１に記載の復調装置。
【請求項３】
前記第１の利得制御手段と前記第２の利得制御手段の動作点を変更するディレイポイント制御手段を有し、前記第１の利得制御手段と前記第２の利得制御手段の動作点を前記レベル検出手段の出力で制御することを特徴とする請求項１に記載の復調装置。
【請求項４】
前記ＩＦ信号の周波数を変更する周波数変換制御手段を具備し、前記周波数変換制御手段は、前記ＩＦ信号の周波数を前記レベル検出手段の出力で制御することを特徴とする請求項１に記載の復調装置。
【請求項５】
前記周波数変換制御手段は、前記直交復調手段の動作を、前記レベル検出手段の出力で制御することを特徴とする請求項４に記載の復調装置。
【発明の詳細な説明】
【０００１】
【発明の属する技術分野】
本発明は、デジタル変調方式の復調装置に関するものである。
【０００２】
【従来の技術】
一般に信号レベルが２値で表されるデジタル信号データ（以下シンボルと称する）を伝送するために用いられるデジタル変調方式として、ＰＳＫ（ＰｈａｓｅＳｈｉｆｔ  Ｋｅｙｉｎｇ）、ＱＡＭ（Ｑｕａｄｒａｔｕｒｅ  Ａｍｐｌｉｔｕｄｅ  Ｍｏｄｕｌａｔｉｏｎ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）等の方式が知られている。
【０００３】
これらのデジタル変調方式を採用した変調装置では、所定の時間間隔でサンプリングおよび量子化されたＩ、Ｑ２シンボルを用いて、アナログの搬送波（キャリア）により直交変調を行っている。このように変調された信号をさらに、ＶＨＦ帯、ＵＨＦ帯等の送信周波数帯域（Ｒａｄｉｏ  Ｆｒｅｑｕｅｎｃｙ）に周波数変換して送出する。
【０００４】
一方、前記デジタル変調方式の復調装置では、希望波の信号を選局、ＩＦ（Ｉｎｔｅｒｍｅｄｉａｔｅ  Ｆｒｅｑｕｅｎｃｙ）に周波数変換した後、キャリア成分を除去し、所定のシンボルレベルと比較して、最も近いシンボルレベルを再生シンボル値として判定するようにしている。この時、電界強度に応じて、受信した信号の信号レベルが変動するため、自動利得制御装置  ＡＧＣ（Ａｕｔｏｍａｔｉｃ  Ｇａｉｎ  Ｃｏｎｔｒｏｌ）を用いて常に復調された信号レベルを一定にする。
【０００５】
以下、図４を参照して従来の復調装置に付いて説明する。
【０００６】
図４は、従来の復調装置の構成を示す（例えば、特許文献１  参照）。
【０００７】
端子１０１より供給されたＲＦ信号は、ＲＦ  ＡＧＣアンプ１０２で利得制御された後、周波数変換器１０３に供給される。局発器１０８は、受信チャンネル毎に定められた周波数の局発信号を周波数変換器１０３に供給する。
【０００８】
周波数変換器１０３は、ＲＦ  ＡＧＣアンプ１０２の出力信号を局発器１０８より供給される局発信号によりＩＦ信号に変換し、第１のフィルタ１０４に供給する。第１のフィルタ１０４は、供給された信号を帯域制限した後、アンプ１０５に供給する。アンプ１０５は、供給された信号を所定のゲインで増幅した後、第２のフィルタ１０６に供給する。
【０００９】
第２のフィルタ１０６は、供給された信号を帯域制限した後、ＩＦ  ＡＧＣアンプ１０７に供給する。ＩＦ  ＡＧＣアンプ１０７で利得制御された信号は、ＡＤＣ（アナログ−デジタル変換器）１１３に供給される。ＡＤＣ１１３は、供給された信号をデジタルＩＦ信号に変換し、直交復調器１１４に供給する。直交復調器１１４は、デジタルＩＦ信号をキャリアに同期した再生キャリア信号で同期検波することにより、キャリア成分の除去を行ない、再生シンボルであるＩ，Ｑ信号を第３のフィルタ１１５に供給する。
【００１０】
第３のフィルタ１１５は、供給された信号を帯域制限した後、復調器１１７に供給する。復調器１１７は、Ｉ，Ｑ２信号より伝送されたデジタル信号データを復調し、誤り訂正器１１８に供給する。誤り訂正器１１８は、デジタル信号データに誤り訂正を施し、出力端子１１９に供給する。
【００１１】
第１の信号レベル検出器１１１は、ＡＤＣ１１３より供給される信号より、信号レベルを検出し所望のレベルとの誤差を、第１のループフィルタ１１２に供給する。第１のループフィルタ１１２は、第１の信号レベル検出器１１１の出力信号を積分し、雑音成分を除去したＡＧＣの制御信号（以下ＡＧＣ制御信号と称する）１１０を比較器１０９に供給する。
【００１２】
比較器１０９は、ＡＧＣ制御信号１１０と所定のレベル（以下ディレーポイントと称する）とを比較し、ディレーポイントより小さい時はＩＦ  ＡＧＣアンプ１０７に、大きい時はＲＦ  ＡＧＣアンプ１０２に制御信号を供給する。
【００１３】
次に、図４に示した従来の復調装置の動作を説明する。
【００１４】
周波数変換器１０３は、ＲＦ信号と、受信チャンネルより５７ＭＨｚ高い周波数の局発信号とを混合することにより、信号を５７ＭＨｚに周波数変換する。この時、ＩＦ信号の周波数配置はＲＦ信号の逆となる。すなわち、ＲＦ信号の高い周波数成分がＩＦ信号の低い周波数成分に変換される。
【００１５】
ＲＦ  ＡＧＣアンプ１０２およびＩＦ  ＡＧＣアンプ１０７は、それぞれ、比較器１０９より供給される制御信号が大きくなると利得が小さくなる利得特性を持つ。また、第１の信号レベル検出器１１１は、信号レベルが所望の信号レベルより大きくなると出力が大きくなる特性を持つ。
【００１６】
このため、信号レベルが小さい時は、第１の信号レベル検出器１１１の出力が小さくなることにより、ＩＦ  ＡＧＣアンプ１０７もしくはＲＦ  ＡＧＣアンプ１０２の利得が大きくなり、信号レベルが大きくなるよう制御される。
【００１７】
また、入力信号の信号レベルが大きい時は、第１の信号レベル検出器１１１の出力が大きくなることによりＩＦ  ＡＧＣアンプ１０７もしくはＲＦ  ＡＧＣアンプ１０２の利得が小さくなり、信号レベルが小さくなるよう制御される。このように、ＩＦ  ＡＧＣアンプ１０７もしくはＲＦ  ＡＧＣアンプ１０２の利得が変化することにより、信号レベルが所望のレベルに制御される。
【００１８】
以下、ＩＦ  ＡＧＣアンプ１０７によるＡＧＣ制御をＩＦ  ＡＧＣ、ＲＦ  ＡＧＣアンプ１０２によるＡＧＣ制御をＲＦ  ＡＧＣと称する。ここで、ＩＦ  ＡＧＣとＲＦ  ＡＧＣのどちらを用いてＡＧＣ制御をするかはディレーポイントで決定される。
【００１９】
すなわち、ＡＧＣ制御信号１１０がディレーポイントより小さい時は、ＲＦ  ＡＧＣアンプ１０２の利得を固定させ、ＩＦ  ＡＧＣアンプ１０７の利得を可変することによりＡＧＣ制御を行う。また、ＡＧＣ制御信号１１０がディレーポイントより大きい時は、ＩＦ  ＡＧＣアンプ１０７の利得を固定させ、ＲＦ  ＡＧＣアンプ１０２の利得を可変することによりＡＧＣ制御を行う。
【００２０】
このように、受信信号の信号レベルに応じて、ＩＦ  ＡＧＣとＲＦ  ＡＧＣを切り替えるのは、低雑音特性を保ちつつ、ＡＧＣの制御範囲を広くとるために行われる。
【００２１】
すなわち、ＩＦ  ＡＧＣアンプ１０７、ＲＦ  ＡＧＣアンプ１０２総合の利得が同一の時、ＲＦ  ＡＧＣアンプ１０２の利得を高く、ＩＦ  ＡＧＣアンプ１０７の利得を低くした場合、逆の場合に比べ雑音特性がよくなる。このため、信号レベルが低いときは、ＲＦ  ＡＧＣアンプ１０２を最大利得で固定し、ＩＦ  ＡＧＣアンプ１０７でＡＧＣをかける方が雑音特性の面で有利となる。
【００２２】
一方、ＩＦ  ＡＧＣアンプ１０７のみでＡＧＣをかけると、ＡＧＣの制御範囲がＩＦ  ＡＧＣアンプ１０７のダイナミックレンジで制限されるため、狭くなる。そのため、信号レベルが高いときは、ＲＦ  ＡＧＣアンプ１０２を用いてＡＧＣをかけることにより、ＡＧＣ制御範囲を広くすることができる。
【００２３】
【特許文献１】
特開２０００−３１２２３５号公報  （３頁、図１３）。
【００２４】
【発明が解決しようとする課題】
以上説明した、従来の復調装置は、隣接チャンネルに信号レベルの高い妨害波がある場合不具合がある。ここで隣接チャンネルの妨害波は、ＲＦ信号の下側の隣接チャンネル、いわゆる下隣接チャンネル妨害が特に問題となる。これは、下隣接チャンネルは映像信号に比べ信号レベルの大きい音声キャリアが受信チャンネルに近く配置されているからである。前述のとおり、ＩＦ信号はＲＦ信号と周波数配置が逆となっている。したがって、ＩＦ信号では下隣接チャンネル妨害は高い周波数に変換されている。
【００２５】
通常、隣接チャンネルの妨害波は、第１のフィルタ１０４，第２のフィルタ１０６，および第３のフィルタ１１５で遮断される。このように３段のフィルタを用いるのは、フィルタ１段では遮断特性が十分でないためである。
【００２６】
ところが、第１のフィルタ１０４，第２のフィルタ１０６として使用されるＳＡＷ（Ｓｕｒｆａｃｅ  Ａｃｏｕｓｔｉｃ  Ｗａｖｅ  Ｆｉｌｔｅｒ：弾性表面波フィルタ）等のアナログフィルタは、通過帯域が温度等で変化する。このため、本来遮断すべき隣接チャンネルの妨害波を抑圧しきれない状態が発生し、復調装置の性能に著しい劣化を生じることになる。
【００２７】
例えば、第１のフィルタ１０４、第２のフィルタ１０６が温度上昇に伴って、周波数が高い方向に通過帯域が変化する場合、高い周波数に配置されている下隣接チャンネル妨害が通過帯域に入ってくる。このため、妨害波を抑圧できなくなり、受信信号の劣化が生じる。
【００２８】
また、このように第１のフィルタ１０４、第２のフィルタ１０６で隣接チャンネルの妨害波を十分抑圧できない場合、ＩＦ  ＡＧＣアンプ１０７の出力は、隣接チャンネルの妨害波を含んだ状態で所定のレベルに制御される。この隣接チャンネルの妨害波は、第３のフィルタ１１５である程度遮断されるから、第３のフィルタ１１５の出力は所定のレベルより低くなる。その結果、復調装置の復調性能が劣化する。
【００２９】
さらに、ＲＦ  ＡＧＣアンプ１０２の前には信号の帯域を制限するフィルタが無いため、ＲＦ  ＡＧＣアンプ１０２では希望波の信号とともに隣接チャンネルの信号も増幅される。
【００３０】
一方、ＡＧＣ制御信号１１０は、第１のフィルタ１０４、第２のフィルタ１０６で帯域制限され、希望波の信号のレベルに合わせて生成される。このため、隣接チャンネルに信号レベルの高い妨害波があると、ＲＦ  ＡＧＣアンプ１０２の利得が高すぎて、飽和状態になる可能性がある。
【００３１】
このアンプの飽和状態は信号のひずみを生じ、復調装置の性能に著しい劣化を生じることになり、最悪の場合、信号の復調ができないという場合もありうる。
【００３２】
以上説明したように、従来の復調装置は、温度等により隣接チャンネル妨害波の遮断特性が劣化するという問題があった。また、隣接チャンネルに信号レベルの高い妨害波がある場合、信号レベルが低くなるという問題があった。さらに、隣接チャンネル妨害波によりひずみを生じるという問題があった。
【００３３】
本発明は、これら隣接チャンネル妨害を検出する復調装置を提供することを目的とする。
【００３４】
また、本発明は、これら隣接チャンネル妨害による性能劣化の少ない復調装置を提供することを目的とする。
【００３５】
【課題を解決するための手段】
本発明の復調装置は、
ＲＦ信号の利得を調整する第１の利得制御手段と、
前記ＲＦ信号をＩＦ信号に変換する周波数変換手段と、
前記ＩＦ信号を帯域制限する第１のフィルタ手段と、
前記ＩＦ信号の利得を調整する第２の利得制御手段と、
前記ＩＦ信号をデジタルＩＦ信号に変換するアナログ−デジタル変換手段と、
前記デジタルＩＦ信号からキャリア成分を除去する直交復調手段と、
前記直交復調手段の出力を帯域制限する第２のフィルタ手段と、
前記第２のフィルタ手段の出力からデジタル信号データを出力する復調手段と、
前記第２のフィルタ手段の出力または前記復調手段の出力の信号レベルを検出するレベル検出手段と、を具備したことを特徴とする。
【００３６】
【発明の実施の形態】
（第１の実施の形態）
以下、図１を参照して本発明にかかわる復調装置の第１の実施の形態について説明する。
【００３７】
図１に示した復調装置は、図４に示した復調装置に係数器２０１、第２の信号レベル検出器２０２、第２のループフィルタ２０３を追加したものである。他の構成は、図４に示した復調装置と同一であり、説明は省略する。
【００３８】
係数器２０１は、第３のフィルタ１１５の出力に、第２のループフィルタ２０３の出力に応じた係数を乗じて、復調器１１７および第２の信号レベル検出器２０２に供給する。
【００３９】
第２の信号レベル検出器２０２は、係数器２０１より供給される信号より、信号レベルを検出し所望のレベルとの誤差を第２のループフィルタ２０３に供給する。第２のループフィルタ２０３は、第２の信号レベル検出器２０２の出力信号を積分し、雑音成分を除去した信号を係数器２０１に供給する。
【００４０】
次に図１に示した本発明にかかわる復調装置の動作を、説明する。
【００４１】
係数器２０１は、第２のループフィルタ２０３の出力信号が正規の値の時利得１、第２のループフィルタ２０３の出力信号が正規の値より大きくなると利得が大きくなる利得特性を持つ。また、第２の信号レベル検出器２０２は、信号レベルが所望の信号レベルより小さくなると出力が大きくなる特性を持つ。
【００４２】
このため、信号レベルが小さい時は、第２の信号レベル検出器２０２の出力が大きくなることにより、係数器２０１の利得が大きくなり、信号レベルが大きくなるよう制御される。このように、係数器２０１の利得が変化することにより、信号レベルが所望のレベルに制御される。
【００４３】
隣接チャンネル妨害が存在しない状態では、第３のフィルタ１１５の入力信号には通過帯域内の周波数成分のみ存在する。したがって、第３のフィルタ１１５の入力信号と出力信号は同じものであり、信号レベルも所望の値となっている。このため、第２の信号レベル検出器３０２は”０”を出力する。この時、第２のループフィルタ２０３の出力信号は正規の値、すなわち利得１を示すレベルを出力する。
【００４４】
一方、隣接チャンネル妨害が存在する状態では、第３のフィルタ１１５の入力信号には通過帯域外の周波数成分が存在する。この通過帯域外の周波数成分は、第３のフィルタ１１５で遮断されるため、第３のフィルタ１１５の出力信号レベルは、復調装置の入力信号に比べ低くなる。
【００４５】
したがって、第２の信号レベル検出器２０２の出力は大きくなる。この時、第２のループフィルタ２０３の出力信号は正規の値より大きくなり、係数器２０１の出力が所望の信号レベルに制御されたところで収束する。
【００４６】
すなわち、第２のループフィルタ２０３の出力信号により隣接チャンネル妨害の検出することができる。また、隣接チャンネル妨害が存在する状態でも、係数器２０１の出力の信号レベルは所望の値に制御される。
【００４７】
以上説明したように、図１に示した本発明にかかわる復調装置は、隣接チャンネル妨害を検出することができる。また、図１に示した本発明にかかわる復調装置は、隣接チャンネルに信号レベルの高い妨害波がある場合でも、係数器２０１の利得を制御することにより所望の信号レベルに制御される。
【００４８】
なお、前記実施の形態では第２の信号レベル検出器２０２に係数器２０１の出力を供給する構成を示したが、代わりに復調器１１７の出力を供給する構成としても良い。
【００４９】
例えば、ＯＦＤＭ方式の復調装置においては復調器１１７としてＦＦＴ（高速フーリエ変換）を使しており、復調器１１７の出力は各周波数成分の信号レベルを表す信号となる。
【００５０】
このため、係数器２０１の出力を供給する場合に比べ、簡単な構成で第２の信号レベル検出器２０２を構成することができる。
【００５１】
（第２の実施の形態）
以下、図２を参照して、本発明にかかわる復調装置の第２の実施の形態について説明する。
【００５２】
図２に示した復調装置は、図４に示した復調装置にディレイポイント制御器３０１、第２の信号レベル検出器３０２を追加したものである。他の構成は、図４に示した復調装置と同一であり、説明は省略する。
【００５３】
第２の信号レベル検出器３０２は、第３のフィルタ１１５より供給される信号より、信号レベルを検出し所望のレベルとの誤差をディレイポイント制御器３０１に供給する。
【００５４】
ディレイポイント制御器３０１は、第２の信号レベル検出器３０２の出力に応じて、比較器１０９のディレイポイントを可変するよう構成されている。
【００５５】
次に図２に示した本発明にかかわる復調装置の動作を、説明する。
【００５６】
第２の信号レベル検出器３０２は、信号レベルが所望の信号レベルより小さくなると出力が大きくなる特性を持つ。
【００５７】
第１の実施の形態で説明したように、隣接チャンネル妨害が存在しない状態では、第３のフィルタ１１５の出力信号レベルは正規の値となっている。したがって、第２の信号レベル検出器３０２は”０”を出力する。
【００５８】
一方、隣接チャンネル妨害が存在する状態では、第３のフィルタ１１５の出力信号レベルは正規の値より小さくなっている。したがって、第２の信号レベル検出器３０２の出力は大きくなる。すなわち、第２の信号レベル検出器３０２の出力で隣接チャンネル妨害を検出することができる。
【００５９】
ディレイポイント制御器３０１は、第２の信号レベル検出器３０２の出力が大きい場合、比較器１０９のディレイポイントを低くするよう制御する。前述のとおり、ＡＧＣ制御信号１１０がディレーポイントより小さい時は、ＩＦ  ＡＧＣが、ＡＧＣ制御信号１１０がディレーポイントより大きい時は、ＲＦ  ＡＧＣが行われる。
【００６０】
したがって、前記のごとくディレイポイントを低く制御することにより、復調装置の入力信号レベルが低くてもＲＦ  ＡＧＣがかかる。このため、隣接チャンネルに信号レベルの高い妨害波があっても、ＲＦ  ＡＧＣアンプの利得が高すぎて、飽和状態になる事は無くなる。
【００６１】
以上説明したように、図２に示した本発明にかかわる復調装置は、ディレイポイントを変化させることにより隣接チャンネル妨害波がある場合でもひずみの発生を抑止することができる。
【００６２】
第１の実施の形態と同様、第２のレベル検出器３０２に、第３のフィルタ１１５の出力を供給する構成を示したが、代わりに復調器１１７の出力を供給する構成としても良い。
【００６３】
（第３の実施の形態）
以下、図３を参照して本発明にかかわる復調装置の第３の実施の形態について説明する。
【００６４】
図３に示した復調装置は、図４に示した復調装置に局発制御器４０１、第２の信号レベル検出器３０２を追加したものである。他の構成は、図４に示した復調装置と同一であり、説明は省略する。
【００６５】
また、第２の信号レベル検出器３０２は図２に示したものと同一である。
【００６６】
第２の信号レベル検出器３０２は、第３のフィルタ１１５より供給される信号より、信号レベルを検出し所望のレベルとの誤差を局発制御器４０１に供給する。
【００６７】
局発制御器４０１は、第２の信号レベル検出器３０２の出力に応じて、局発器１０８の発振する局発信号の周波数を制御するよう構成されている。
【００６８】
次に図３に示した本発明にかかわる復調装置の動作を、説明する。
【００６９】
第２の実施例で説明したように隣接チャンネル妨害が存在しない状態では、第２の信号レベル検出器３０２は”０”を出力する。
【００７０】
一方、前述したように、第１のフィルタ１０４、第２のフィルタ１０６が温度上昇に伴って、周波数が高い方向に通過帯域が変化する場合、高い周波数に配置されている下隣接チャンネル妨害が通過帯域に入ってくる。この下隣接チャンネル妨害成分は第３のフィルタ１１５で遮断されるため、第３のフィルタ１１５の出力信号レベルは入力信号に比べ低くなる。したがって、第２の信号レベル検出器３０２の出力は大きくなる。
【００７１】
局発制御器４０１は、第２の信号レベル検出器３０２の出力が大きい場合、局発器１０８の発振する局発信号の周波数を高くするよう制御する。この時、周波数変換器１０３は、ＲＦ信号を５７ＭＨｚより高い周波数に変換する。
【００７２】
このため、下隣接チャンネル妨害は、第１のフィルタ１０４、第２のフィルタ１０６の阻止帯域に入るため、抑圧することができる。
【００７３】
以上説明したように、図３に示した本発明にかかわる復調装置は、温度等によりフィルタの遮断特性が変化した場合でも局発周波数を制御することにより隣接チャンネル妨害波を抑圧することができる。
【００７４】
なお、前記実施の形態では局発制御器４０１の出力を局発器１０８にのみ供給する構成としているが、更に直交復調器１１４にも供給する構成とすることもできる。
【００７５】
すなわち、直交復調器は通常ＡＦＣ（Ａｕｔｏ  Ｆｒｅｑｕｅｎｃｙ  Ｃｏｎｔｒｏｌ）機能を有しており、入力信号のキャリア成分のずれがあった場合でも自動的に再生キャリアの周波数を同調させる。
【００７６】
このため、上記のように直交復調器１１４に入力するＩＦ信号の周波数を５７ＭＨｚからずらした場合でも直交復調することが可能であるが、局発制御器４０１の出力を直交復調器１１４に供給する構成とすることで、入力信号のキャリア成分のずれに応じて再生キャリアの周波数を変えることができる。
【００７７】
このため、より広い周波数範囲でＩＦ信号の周波数を可変することができ、また、引き込みに有する時間を短縮することができる。
【００７８】
第１の実施の形態と同様、第２の信号レベル検出器３０２に第３のフィルタ１１５の出力を供給する構成としたが、代わりに復調器１１７の出力を供給する構成としても良い。
【００７９】
以上、第１の実施の形態、第２の実施の形態、第３の実施の形態で、それぞれ係数器２０１、ディレイポイント制御器３０１、局発制御器４０１が独立に動作する構成を示したが本発明はこれに限定されるわけではない。すなわち、必要に応じてこれらを組み合わせた構成とすることが可能である。
【００８０】
また、このとき、ディレイポイント制御器３０１、局発制御器４０１は、図１記載の第２のループフィルタ２０３から信号を供給するよう構成することも可能である。
【００８１】
【発明の効果】
本発明によれば、隣接チャンネルに信号レベルの高い妨害波がある場合、妨害を検出することができる。
【００８２】
また、本発明によれば、隣接チャンネルに信号レベルの高い妨害波がある場合でも、係数器の利得を制御することにより所望の信号レベルに制御される。
【００８３】
また、本発明によれば、ディレイポイントを変化させることにより隣接チャンネル妨害波がある場合でもひずみの発生を抑止することができる。
【００８４】
さらに、本発明によれば、温度等によりフィルタの遮断特性が変化した場合でも局発周波数を制御することにより隣接チャンネル妨害波を抑圧することができる。
【図面の簡単な説明】
【図１】本発明の復調装置の第１の実施の形態の構成を示すブロック図である。
【図２】本発明の復調装置の第２の実施の形態の構成を示すブロック図である。
【図３】本発明の復調装置の第３の実施の形態の構成を示すブロック図である。
【図４】従来の復調装置の構成を示すブロック図である。
【符号の説明】
１０２・・ＲＦ  ＡＧＣアンプ、１０３・・周波数変換器、１０４・・第１のフィルタ、１０６・・第２のフィルタ、１０７・・ＩＦ  ＡＧＣアンプ、１０８・・局発器、１０９・・比較器、１１０・・ＡＧＣ制御信号、１１１・・第１の信号レベル検出器、１１２・・第１のループフィルタ、１１３・・ＡＤＣ（アナログ−デジタル変換器）、１１４・・直交復調器、１１５・・第３のフィルタ、１１７・・復調器、２０１・・係数器、２０２，３０２・・第２の信号レベル検出器、２０３・・第２のループフィルタ、３０１・・ディレイポイント制御器、４０１・・局発制御器。
【図１】
2004221831.tif 000003
【図２】
2004221831.tif 000004
【図３】
2004221831.tif 000005
【図４】
2004221831.tif 000006